(57)【要約】【課題】入力したコンテンツを表示させることにより、他のユーザに容易に必要な情報を提供する。【解決手段】ユーザの端末装置３は、コンテンツおよび閲覧させたいユーザに関する指定ユーザ情報を近くの表示装置１に出力する。表示装置１は、入力されたコンテンツおよび指定ユーザ情報をサーバ２に送信する。サーバ２は、指定ユーザの端末装置３の位置を検出して、近くにある表示装置１を特定する。サーバ２は、特定の表示装置３にコンテンツを送信する。特定の表示装置１は、コンテンツを表示する。指定ユーザは、表示装置１の画面に表示されたコンテンツを見て、情報を入手する。【選択図】図１
2009187084.tif 000002
【特許請求の範囲】
【請求項１】
コンテンツを表示する複数の表示装置と、表示装置を管理するサーバとを備え、入力されたコンテンツを表示する情報表示システムであって、表示装置と通信可能な端末装置を備え、端末装置は、入力したコンテンツを閲覧させたいユーザを指定し、サーバは、指定ユーザの端末装置と一定の関係を有する表示装置を特定し、特定の表示装置にコンテンツを表示させることを特徴とする情報表示システム。
【請求項２】
端末装置は、近くの表示装置にコンテンツを出力し、表示装置は、入力されたコンテンツをサーバに送信し、サーバは、入力されたコンテンツを保存し、特定の表示装置にコンテンツを送信することを特徴とする請求項１記載の情報表示システム。
【請求項３】
サーバは、指定ユーザの端末装置の位置に基づいて複数の表示装置を特定し、各表示装置にコンテンツを表示させることを特徴とする請求項２記載の情報表示システム。
【請求項４】
特定された各表示装置は、指定ユーザの端末装置からの距離に基づいて決められることを特徴とする請求項３記載の情報表示システム。
【請求項５】
端末装置は、表示装置を指定し、サーバは、指定された表示装置を特定の表示装置とすることを特徴とする請求項２または３記載の情報表示システム。
【請求項６】
サーバは、指定ユーザの端末装置によって指定された表示装置を特定の表示装置とすることを特徴とする請求項２または３記載の情報表示システム。
【請求項７】
サーバは、コンテンツの表示期間を設定することを特徴とする請求項３記載の情報表示システム。
【請求項８】
表示装置は、複数の表示期間の候補を表示し、この候補の中から選ばれた表示期間だけコンテンツを表示することを特徴とする請求項７記載の情報表示システム。
【請求項９】
サーバは、端末装置からの削除要求に応じて、表示されたコンテンツを削除することを特徴とする請求項３記載の情報表示システム。
【発明の詳細な説明】
【技術分野】
【０００１】
本発明は、ユーザが所持する端末装置から入力されたコメントや画像等のコンテンツを複数の表示装置において表示する情報表示システムに関する。
【背景技術】
【０００２】
複数の表示装置を有する情報表示システムでは、複数の表示装置が離れた位置に配され、各表示装置がネットワークによって接続される。入力された画像等のコンテンツが各表示装置において表示される。表示装置を見るユーザに情報を提供することができる。
【０００３】
ユーザは、携帯電話等の端末装置を所有し、端末装置を通じて表示装置を管理するサーバにアクセス可能とされる。このような情報表示システムが特許文献１に記載されている。ユーザは、端末装置を通じてサーバに画像情報の配信要求を行う。サーバは、ユーザの端末装置からＧＰＳによる位置情報を取り込む。サーバは、位置情報に基づいてユーザの近くの表示装置を選択し、ユーザが希望するコンテンツを収集して、選択した表示装置に送信する。表示装置は、ユーザの希望したコンテンツを表示する。
【特許文献１】特開２００５−３２２１３１号公報
【発明の開示】
【発明が解決しようとする課題】
【０００４】
上記の情報表示システムでは、ユーザの端末装置がインターネット等のネットワークを通じてサーバと通信を行うことにより、ユーザは近くの表示装置に希望するコンテンツを表示させることができる。しかし、表示装置を利用して、ユーザが、作成したコンテンツを他のユーザに伝えたいといった場合がある。上記の情報表示システムでは、このようなことを想定して構築されていない。
【０００５】
そこで、本発明は、上記に鑑み、他のユーザに必要な情報を容易に提供できる情報表示システムの提供を目的とする。
【課題を解決するための手段】
【０００６】
本発明は、コンテンツを表示する複数の表示装置と、表示装置を管理するサーバとを備え、入力されたコンテンツを表示する情報表示システムであって、表示装置と通信可能な端末装置を備えたものである。そして、端末装置は、入力したコンテンツを閲覧させたいユーザを指定し、サーバは、指定ユーザの端末装置と一定の関係を有する表示装置を特定し、特定の表示装置にコンテンツを表示させる。
【０００７】
ユーザは、端末装置を所持している。端末装置は、表示装置と無線あるいは有線による通信が可能であるので、端末装置を用いて、コンテンツを入力することができる。同時に、コンテンツを見せたいユーザに関する情報も入力する。
【０００８】
具体的には、端末装置は、近くの表示装置にコンテンツを出力し、表示装置は、入力されたコンテンツをサーバに送信する。サーバは、入力されたコンテンツを保存し、特定の表示装置にコンテンツを送信する。特定の表示装置は、入力されたコンテンツを表示する。このように、ユーザは、近くの表示装置を利用して、他のユーザに必要な情報を簡単に提供できる。
【０００９】
ここで、サーバは、指定ユーザに応じて、特定の表示装置を決める。すなわち、サーバは、指定ユーザが所持する端末装置の位置に基づいて、この端末装置に近いといった関係を有する表示装置を特定する。指定ユーザは、近くの表示装置において、入力されたコンテンツを見ることができる。
【００１０】
サーバは、指定ユーザの端末装置の位置に基づいて複数の表示装置を特定し、各表示装置にコンテンツを表示させる。特定された各表示装置は、指定ユーザの端末装置からの距離に基づいて決められる。したがって、指定ユーザの近くにある複数の表示装置において、コンテンツが表示される。指定ユーザが移動しても、いずれかの表示装置に表示されたコンテンツを見ることができる。
【００１１】
端末装置は、表示装置を指定し、サーバは、指定された表示装置を特定の表示装置とする。例えば、コンテンツを入力したユーザが表示装置を選択することにより、ユーザの端末装置が表示装置を指定する。あるいは、指定ユーザが表示装置を選択することにより、指定ユーザの端末装置が表示装置を指定する。サーバは、指定ユーザの端末装置によって指定された表示装置を特定の表示装置とする。すなわち、上記のようにユーザによって決められた表示装置は、指定ユーザの端末装置と一定の関係を有する表示装置と言える。
【００１２】
サーバは、コンテンツの表示期間を設定する。これにより、不要になったコンテンツを削除できる。また、表示装置は、複数の表示期間の候補を表示し、この候補の中から選ばれた表示期間だけコンテンツを表示する。ユーザは、コンテンツの内容に応じて表示期間を決めることができる。
【００１３】
サーバは、端末装置からの削除要求に応じて、表示されたコンテンツを削除する。指定ユーザが表示されたコンテンツを確認すれば、すぐにコンテンツを削除することができる。これによって、不要に情報が漏洩することを防げる。
【発明の効果】
【００１４】
本発明によると、必要な情報を入力して、閲覧させたいユーザを指定することにより、他のユーザに必要な情報を容易に提供することができる。また、ユーザが入力するとき、近くにある表示装置を利用できるので、端末装置がサーバと通信できなくても、必要な情報をすぐに入力でき、ユーザの利便性が向上する。
【発明を実施するための最良の形態】
【００１５】
本実施形態の情報表示システムを図１に示す。情報表示システムは、複数の表示装置１とサーバ２とがネットワークを通じて接続されて構成される。そして、ユーザは、端末装置３を所有し、端末装置３がサーバ２に直接あるいは間接的にアクセス可能とされる。ネットワークは、インターネットあるいはＷＡＮやＶＰＮ等である。
【００１６】
本情報表示システムでは、ユーザが、端末装置３によってコメントや画像データ等のコンテンツを入力するとともに、このコンテンツを閲覧させたい他のユーザを指定する。すると、指定ユーザの端末装置３と一定の関係を有する表示装置１において、入力されたコンテンツが表示される。この一定の関係を有する表示装置１として、例えば指定ユーザの端末装置３の近くにある表示装置１、あるいはシステムに関係する者によって、指定ユーザに応じて決められた表示装置１である。
【００１７】
端末装置３は、通信機能を有する携帯可能な端末装置３であり、例えば携帯電話、ＰＨＳ、携帯情報端末（ＰＤＡ）ノートパソコン等である。端末装置３は、コンテンツを出力する出力部１０と、表示装置１やサーバ２との通信を制御する制御部１１とを備える。制御部１１は、ＣＰＵ、ＲＯＭ、ＲＡＭを有するマイクロコンピュータからなり、ユーザの操作により、コンテンツを閲覧させたい他のユーザが指定されたとき、制御部１１は、このユーザを指定ユーザとして設定する。
【００１８】
複数の表示装置１は、屋外および屋内の互いに離れた場所に設置される。表示装置１は、コンテンツを表示する表示部１２と、端末装置３からの情報を入力する入力部１３と、表示部１２を制御するとともに、通信を制御する制御部１４とを備える。
【００１９】
サーバ２は、入力されたコンテンツを保存する記憶部１５と、表示装置１を制御する制御部１６とを備え、制御部１６は、端末装置３から入力されたコンテンツを特定の表示装置１に表示させる。サーバ２は、位置管理装置４と通信可能に接続される。位置管理装置４は、ユーザの端末装置３の位置を検出する。すなわち、端末装置３は、ＧＰＳを搭載しており、位置管理装置４は、端末装置３と定期的に通信を行い、各端末装置３から位置情報を受信して、端末装置３の位置を検出する。サーバ２は、位置情報に基づいて指定ユーザの端末装置３の位置を認識できるので、制御部１６は、表示装置１を検索して、端末装置３の近くにある表示装置１を特定する。
【００２０】
図２に示すように、表示装置１は、ＣＰＵ２０、ＲＯＭ２１、ＲＡＭ２２、ＨＤＤ２３、ＮＩＣ（Ｎｅｔｗｏｒｋ  Ｉｎｔｅｒｆａｃｅ  Ｃａｒｄ）２４、受信モジュール２５、表示部２６、キーボード２７、マウス２８等を有している。各ハードウェアはバスを介して接続されている。なお、表示部２６は、液晶ディスプレイ等の表示パネルを有しているが、タッチパネルを備えていてもよい。この場合、キーボード２７やマウス２８の代わりとして、ペンや指による入力が可能となる。
【００２１】
そして、ＣＰＵ２０、ＲＯＭ２１、ＲＡＭ２２により制御部１４が構成され、制御部１４のＣＰＵ２０は、ＲＯＭ２１あるいはＨＤＤ２３に予め格納されている制御プログラムを適宜ＲＡＭ２２に読み出して実行する。ＲＯＭ２１あるいはＨＤＤ２３には、表示装置１の動作に必要な制御プログラムが保存されている。ＲＡＭ２２は、ＳＲＡＭあるいはフラッシュメモリ等を用い、ＣＰＵ２０による制御プログラムの実行時に発生するデータを一時的に記憶する。さらに、ＨＤＤ２３は、表示部２６に表示させるメニュー画像、入力されたコンテンツ等を記憶する。また、制御部１４の動作に必要なコンピュータプログラム、文書，図，プレゼンテーションデータ等の電子文書を作成、表示するためのアプリケーションプログラム、端末装置３から入力された情報を記憶するための記憶処理プログラム、コンテンツを表示するための表示制御プログラム、コンテンツの削除等の処理を行うための情報制御プログラムを記憶している。
【００２２】
受信モジュール２５は、端末装置３と赤外線による無線通信を行う。端末装置３は、無線通信を行うための通信モジュールを有しており、これが出力部１０として機能する。受信モジュール２５は、端末装置３から情報が出力されると、この情報を受信する。すなわち、受信モジュール２５が入力部１３として機能する。なお、表示装置１と端末装置３との間での情報の入出力は、赤外線による無線通信に限らず、無線ＬＡＮ、特定小電力無線、ブルートゥース（登録商標）等の無線通信で行ってもよい。また、無線に限らず、メモリカード、ＵＳＢメモリ等の記憶媒体を用いて、端末装置３からの情報を表示装置１に入力してもよい。
【００２３】
サーバ２は、ＣＰＵ３０、ＲＯＭ３１、ＲＡＭ３２、ＨＤＤ３３、ＮＩＣ３４、表示部３５、キーボード３６、マウス３７等を有している。サーバ２の基本的な構成は、上記した表示装置１と同じである。サーバ２の制御部１６は、端末装置３から入力されたコンテンツを表示するために、表示装置１を通じて入力されたコンテンツを記憶部１５であるＨＤＤ３３に保存する。そして、指定ユーザの端末装置３の位置を確認して、近くにある表示装置１を特定する。その後、特定された表示装置１に表示すべきコンテンツを送信する。
【００２４】
上記の入力されたコンテンツを表示するときの手順を図３、４にしたがって説明する。ユーザは、端末装置３を使用して、出力するコンテンツを決める。すなわち、ユーザの操作により、制御部１１は、アプリケーションプログラムを起動して、保存されているコンテンツを選択する、あるいはユーザの入力により、メッセージ等の文書を作成して、コンテンツとする（Ｓ１）。
【００２５】
次に、ユーザは、閲覧させたい他のユーザを入力する。端末装置３には、図５に示すようなアドレス帳が保存されている。アドレス帳には、ユーザ名、電話番号、メールアドレスが登録されている。制御部１１は、アドレス帳を読み出して、画面に表示させる。そして、制御部１１は、アドレス帳から選択されたユーザを指定ユーザとする（Ｓ２）。あるいは、ユーザは、指定ユーザのメールアドレスを直接入力してもよい。制御部１１は、指定されたユーザに関するユーザ名、メールアドレス等を含む指定ユーザ情報を作成する。
【００２６】
ユーザは、近くの表示装置１に行き、コンテンツおよび指定ユーザ情報を表示装置１に出力する。すなわち、端末装置３の制御部１１は、出力部１０を動作させて、表示装置１と通信を行い、コンテンツおよび指定ユーザ情報を表示装置１に送信する（Ｓ３）。
【００２７】
表示装置１では、入力部１３が、コンテンツおよび指定ユーザ情報を受信する（Ｓ４）。制御部１４は、コンテンツをＨＤＤ２３に一時的に保存する（Ｓ５）。そして、制御部１４は、コンテンツおよび指定ユーザ情報をサーバ２に送信する（Ｓ６）。
【００２８】
サーバ２では、制御部１６は、表示装置１からコンテンツおよび指定ユーザ情報を受信し（Ｓ７）、コンテンツを記憶部１５に保存する（Ｓ８）。
【００２９】
図６に示すように、サーバ２の記憶部１５には、全ての表示装置１の設置位置情報が登録されている。制御部１６は、記憶部１５から設置位置情報を読み出すことにより、各表示装置１の設置位置情報を取得する（Ｓ１１）。また、位置管理装置４は、各端末装置３の現在の位置情報を管理している。制御部１６は、位置管理装置４に端末装置３の位置を問い合わせて、指定ユーザの端末装置３の位置情報を取得する（Ｓ１２）。
【００３０】
制御部１６は、指定ユーザの端末装置３の位置情報および表示装置１の設置位置情報に基づいて、指定ユーザのいる位置に最も近い表示装置１を検索する（Ｓ１３）。そして、図７に示すように、制御部１６は、指定ユーザの端末装置３に対する最寄りの表示装置１を特定する。
【００３１】
制御部１６は、特定の表示装置１のＩＰアドレスに基づいて、入力されたコンテンツを特定の表示装置１に送信する（Ｓ１４）。特定の表示装置１では、制御部１４が、コンテンツを受信すると、表示部２６を制御して、コンテンツを表示部２６の画面に表示させる（Ｓ１５）。
【００３２】
この表示装置１の近くにいる指定ユーザは、表示されているコンテンツを見て、その内容を確認することができる。なお、サーバ２は、コンテンツを特定の表示装置１に送信することを指定ユーザに知らせるとよい。すなわち、サーバ２の制御部１６は、指定ユーザ情報から指定ユーザのメールアドレスを取得して、コンテンツが表示されることおよび特定の表示装置１の位置を知らせる電子メールを作成して、送信する。指定ユーザの端末装置３は、サーバ２からの電子メールを受信する。指定ユーザは、近くの表示装置１にコンテンツが表示されることを知り、表示を見に行くことができる。そして、指定ユーザは、画面を見て、必要な情報を入手できる。
【００３３】
このように、近くの表示装置１を利用して、閲覧させたいユーザを指定することにより、自動的に指定ユーザの近くの表示装置１に情報を表示することができる。したがって、端末装置３とサーバ２とが直接通信できなくても、表示装置１を通じて必要な情報を入力することにより、他のユーザに簡単に情報を提供することができる。
【００３４】
ここで、特定の表示装置１を決めるのに際して、コンテンツを提供するユーザが表示装置１を決めてもよい。図８に示すように、ユーザの端末装置３の表示部に、表示装置１を入力するための送信先設定画面が表示される。図９に示すように、ユーザは、コンテンツを表示させたい表示装置１を選択する（Ｓ２２）。なお、表示装置１を複数選択してもよい。
【００３５】
端末装置３の制御部１１は、指定された表示装置１に関する送信先情報を作成して、送信先情報をコンテンツとともに近くの表示装置１に送信する（Ｓ２３）。Ｓ２４〜Ｓ２８の手順は、図３に示したＳ４〜Ｓ８と同じである。
【００３６】
サーバ２の制御部１６は、入力されたコンテンツを表示する表示装置１のリストを作成して、記憶部１５に保存している。制御部１６は、新規の送信先情報に基づいてリストを更新する（Ｓ２９）。そして、制御部１６は、コンテンツをユーザによって決められた特定の表示装置１に送信する。表示装置１は、コンテンツを表示する。
【００３７】
すなわち、閲覧させたいユーザの所在が予めわかっている場合、指定ユーザの近くにある表示装置１を直接指定することができる。これにより、サーバ２における表示装置１を決めるための処理を不要にでき、コンテンツの入力から表示されるまでの時間を短縮できる。
【００３８】
また、指定ユーザが特定の表示装置１を決めてもよい。図１０に示すように、指定ユーザの端末装置３の表示部に、受信先設定画面が表示される。指定ユーザは、受信先として、閲覧する表示装置１を選択する。なお、複数の表示装置１を選択することも可能である。端末装置３の制御部１１は、受信先情報をサーバ２に送信する。
【００３９】
図１１に示すように、サーバ２の制御部１６は、受信先情報に基づいて、図１２に示すような管理リストに指定ユーザと特定の表示装置１を登録する（Ｓ３１）。管理リストは記憶部１５に保存されており、制御部１６は、新しい情報が入力されると、管理リストを更新する（Ｓ３２）。
【００４０】
なお、指定ユーザは、予め表示装置１を指定して、サーバ２に送信する。あるいは、コンテンツが入力され、ユーザが指定されたとき、サーバ２あるいはコンテンツを入力した端末装置３は、電子メール等による通知を指定ユーザの端末装置３に行う。これに応答して指定ユーザは、表示装置１を指定して、サーバ２に送信する。
【００４１】
サーバ２の制御部１６は、指定ユーザによって指定された表示装置１にコンテンツを送信する。表示装置１は、コンテンツを表示する。これにより、指定ユーザは、閲覧したい表示装置１において、入力された情報を確認することができる。例えば、指定ユーザの行き先にある表示装置１を指定することにより、指定ユーザの都合に合わせることができ、ユーザの行動が制限されなくなる。
【００４２】
また、管理者が特定の表示装置１を決めてもよい。図１０に示すように、サーバ２の表示部３５に、受信先設定画面が表示される。管理者は、受信先としての表示装置１を選択し、この表示装置１に対して閲覧を許可するユーザを選択する。サーバ２の制御部１６は、入力された情報に基づいて、図１２に示すような管理リストに登録する。
【００４３】
ユーザの端末装置３からコンテンツおよび指定ユーザ情報が入力されたとき、図１３に示すように、サーバ２の制御部１６は、管理リストから指定ユーザに対する表示装置情報を取得する（Ｓ４１）。そして、制御部１６は、該当する表示装置１にコンテンツを送信する（Ｓ４２）。表示装置１は、コンテンツを表示する（Ｓ４３）。
【００４４】
このように、管理者によって表示装置１を特定することにより、表示装置１の設置場所を考慮して、コンテンツの表示を許可することができる。したがって、他人に見られることを防ぐことができ、提供する情報のセキュリティを高めることができる。
【００４５】
また、特定の表示装置１は、１つに限らず、複数であってもよい。サーバ２が特定の表示装置１を決めるとき、制御部１６は、指定ユーザの端末装置３の位置から所定の距離にある表示装置１を選択する。図１４に示すように、受信先設定画面において、表示する表示装置１の台数が予め設定される。制御部１６は、各表示装置１と端末装置３との距離に基づいて、近い順に表示装置１を設定された台数分だけ選択する。そして、制御部１６は、選択された各表示装置１にコンテンツを送信する。各表示装置１は、受信したコンテンツを表示する。
【００４６】
したがって、指定ユーザは、近くにある、いずれかの表示装置１において、入力されたコンテンツを見ることができる。ユーザが移動している場合、一番近い表示装置１が変わることがあるので、複数の表示装置１で表示することにより、確実にユーザに情報を提供することができる。
【００４７】
なお、表示装置１の台数を設定する代わりに、サーバ２が、指定ユーザの端末装置３から一定距離内にある表示装置１を全て選択してもよい。これによっても、複数の表示装置１を決めることができる。
【００４８】
表示されているコンテンツに表示期間を設定するとよい。サーバ２は、コンテンツが入力されたとき、表示期間を決める。例えば、表示開始日から５日間を表示期間とする。表示開始日が２００８年１月１０日であるとき、２００８年１月１５日まで表示される。この表示期間は、サーバ２の制御部１６が自動的に設定する。制御部１６は、表示期間を監視し、表示期間が過ぎると、表示しているコンテンツの削除を表示装置１に指示する。
【００４９】
あるいは、ユーザが表示期間を決めてもよい。特定の表示装置１は、複数の表示期間の候補を表示する。例えば、表示装置１の画面に、以下のリストが表示される。
【００５０】
候補１  表示開始日から５日間
候補２  表示開始日から１０日間
候補３  表示開始日から１ヶ月間
候補４  表示開始日から１年間
指定ユーザは、これらの候補の中から１つの表示期間を選ぶ。表示装置１は、設定された期間だけコンテンツを表示する。そして、表示装置１は、設定された表示期間をサーバ２に通知する。
【００５１】
コンテンツを入力したユーザが表示期間を決める場合、ユーザの近くの表示装置１が表示期間の候補を表示する。ユーザが表示期間を選択すると、表示装置１は、選ばれた表示期間をサーバ２に通知する。
【００５２】
また、ユーザは、表示されているコンテンツを削除することができる。ユーザは削除したいとき、端末装置３を通じてサーバ２に削除を要求する。サーバ２の制御部１６は、この要求を受けて、表示装置１に表示されているコンテンツの削除を指示する。表示装置１は、画面のコンテンツを消す。このとき、表示装置１の制御部１４は、ＨＤＤ２３に保存されているコンテンツを消去する。これによって、表示装置１には入力された情報が残らず、情報の漏洩を防げる。
【００５３】
なお、本発明は、上記実施形態に限定されるものではなく、本発明の範囲内で上記実施形態に多くの修正および変更を加え得ることは勿論である。ユーザがコンテンツを入力したとき、同時に指定ユーザに知らせる。すなわち、コンテンツを入力したユーザの端末装置は、指定ユーザの端末装置に電子メールを送信する。この電子メールによって、指定ユーザは、コンテンツが表示されることを知ることができる。
【図面の簡単な説明】
【００５４】
【図１】本発明の情報表示システムの概略構成を示す図
【図２】表示装置およびサーバの制御ブロック図
【図３】コンテンツを入力するときのフローチャート
【図４】コンテンツを表示するときのフローチャート
【図５】アドレス帳を示す図
【図６】表示装置の設置位置情報を示す図
【図７】指定ユーザの端末装置および表示装置の位置を示す図
【図８】送信先設定画面を示す図
【図９】表示装置を指定して、コンテンツを入力するときのフローチャート
【図１０】受信先設定画面を示す図
【図１１】管理リストを更新するときのフローチャート
【図１２】管理リストを示す図
【図１３】サーバにおいて、表示する表示装置を決めるときのフローチャート
【図１４】表示装置の台数の設定画面を示す図
【符号の説明】
【００５５】
１    表示装置
２    サーバ
３    端末装置
４    位置管理装置
１０    出力部
１１    制御部
１２    表示部
１３    入力部
１４    制御部
１５    記憶部
１６    制御部
【図１】
2009187084.tif 000003
【図２】
2009187084.tif 000004
【図３】
2009187084.tif 000005
【図４】
2009187084.tif 000006
【図５】
2009187084.tif 000007
【図６】
2009187084.tif 000008
【図７】
2009187084.tif 000009
【図８】
2009187084.tif 000010
【図９】
2009187084.tif 000011
【図１０】
2009187084.tif 000012
【図１１】
2009187084.tif 000013
【図１２】
2009187084.tif 000014
【図１３】
2009187084.tif 000015
【図１４】
2009187084.tif 000016